(57)【要約】【課題】液状調味料を比較的細い管を通して直接的に調理容器内に注ぐような調味料差しにも適し、その調味料の計量を調理容器内で直接的に且つ素早く、大まかな目安で行うことができる調理容器の提供を課題とする。【解決手段】底壁１１と側壁１２とを有する容器本体１０を備え、該容器本体１０の中に材料を投入すると共に調味料を添加して、調理を行う調理容器１であって、前記容器本体１０の底壁１１の内面１１ａに、投入される調味料の投入量の目安となる調味料投入量目安リング３０を構成した。【選択図】      図１
0003206885.tif 000002
【実用新案登録請求の範囲】
【請求項１】
底壁と側壁とを有する容器本体を備え、該容器本体の中に材料を投入すると共に調味料を添加して、調理を行う調理容器であって、前記容器本体の底壁の内面に、投入される調味料の投入量の目安となる調味料投入量目安リングを構成したことを特徴とする調理容器。
【請求項２】
調味料投入量目安リングは、底壁の内面に、円形ラインを表示することで構成していることを特徴とする請求項１に記載の調理容器。
【請求項３】
調味料投入量目安リングは、底壁の内面の中央に、１個若しくは直径の異なる複数個の円形ラインを同芯円状に表示することで構成していることを特徴とする請求項１又は２に記載の調理容器。
【請求項４】
調味料投入量目安リングは、小さじ１杯分の液状調味料の量が拡がる面積を目安とした小径円形ラインと、大さじ１杯分の液状調味料の量が拡がる面積を目安とした大径円形ラインとの、何れか一方若しくは両方で構成していることを特徴とする請求項１〜３の何れかに記載の調理容器。
【請求項５】
液状調味料が油であることを特徴とする請求項４に記載の調理容器。
【請求項６】
調味料投入量目安リングは、底壁の内面に、円形ラインを焼き付けて表示することで構成していることを特徴とする請求項１〜５の何れかに記載の調理容器。
【請求項７】
調理容器は、フライパン、鍋を含むことを特徴とする請求項１〜６の何れかに記載の調理容器。
【考案の詳細な説明】
【技術分野】
【０００１】
本考案は調理容器、より詳しくは調味料の投入量が簡単にわかる調理容器に関する。
【背景技術】
【０００２】
鍋やフライパン等の調理容器において具材を調理する場合、具材の他に油、醤油、ソース、酢、その他の調味料を調理容器に添加して調理をするのが一般的である。
そして調味料を調理容器に添加する場合においては、例えば計量カップを用いて正確な量を計って添加することもあるが、一般的には大さじや小さじを用いて、大さじ１杯とか小さじ１杯といった目安量で大まかに添加する場合が多い。
しかしながら、前記大さじや小さじを用いた調味料の添加は、必ずしも軽快な調味料添加とは言えず、場合によっては煩わしいと言える場合もある。
その一方、最近は、容器の腹部等を押すことで、内部に貯蔵されている液状調味料が、比較的細い管を通って直接的に調理容器内に飛び出すようになされた調味料差しも多く出回っている。このような直差しに適した調味料差しの場合は、調味料が比較的勢いよく飛び出すことから、大さじや小さじを介在させて量を計るのにはあまり適していないと言える。
【先行技術文献】
【特許文献】
【０００３】
【特許文献１】特開２００５−１３１３３３号公報
【考案の概要】
【考案が解決しようとする課題】
【０００４】
上記特許文献１に開示する目盛線付杓子は、１乃至複数の円形状目盛線（５）を、杓子（１）の椀部（３）の内側に、各目盛線（５）の両端部が椀部の口縁部（４）と接するように設ける構成である。これにより、大小複数のさじを使うことなく、一本の杓子で適量の調味料を計量できる効果を奏する。
しかしながら、この特許文献１の考案では、調味料の計量をするのに杓子を必要とし、調味料の入った容器から調味料を一旦杓子に入れて計量をしなければない。そして、その後、杓子を介して調理容器に入れる必要がある。このため軽快な調味料添加が行えず、また調理容器への直差しに適した調味料差しを使用する場合は、その素早い直差し機能と相容れない計量となる。
【０００５】
そこで本考案は上記従来技術の問題を解消し、液状調味料を比較的細い管を通して直接的に調理容器内に注ぐような調味料差しにも適し、その調味料の計量を調理容器内で直接的に、且つ素早く、大まかな目安で行うことができる調理容器の提供を課題とする。
【課題を解決するための手段】
【０００６】
本考案の調理容器は、底壁と側壁とを有する容器本体を備え、該容器本体の中に材料を投入すると共に調味料を投入して、調理を行う調理容器であって、前記容器本体の底壁の内面に、投入される調味料の投入量の目安となる調味料投入量目安リングを構成したことを第１の特徴としている。
また本考案の調理容器は、上記第１の特徴に加えて、調味料投入量目安リングは、底壁の内面に、円形ラインを表示することで構成していることを第２の特徴としている。
また本考案の調理容器は、上記第１又は第２の特徴に加えて、調味料投入量目安リングは、底壁の内面の中央に、１個若しくは直径の異なる複数個の円形ラインを同芯円状に表示することで構成していることを第３の特徴としている。
また本考案の調理容器は、上記第１〜第３の何れかの特徴に加えて、調味料投入量目安リングは、小さじ１杯分の液状調味料の量が拡がる面積を目安とした小径円形ラインと、大さじ１杯分の液状調味料の量が拡がる面積を目安とした大径円形ラインとの、何れか一方若しくは両方で構成していることを第４の特徴としている。
また本考案の調理容器は、上記第４の特徴に加えて、液状調味料が油であることを第５の特徴としている。
また本考案の調理容器は、上記第１〜第５の何れかの特徴に加えて、調味料投入量目安リングは、底壁の内面に、円形ラインを焼き付けて表示することで構成していることを第６の特徴としている。
また本考案の調理容器は、上記第１〜第６の何れかの特徴に加えて、調理容器は、フライパン、鍋を含むことを第７の特徴としている。
【考案の効果】
【０００７】
請求項１に記載の調理容器によれば、容器本体の底壁の内面に調味料投入量目安リングが構成されており、調理人はその調味料投入量目安リングに向けて調味料を投入することで、所定の分量となるまで投入することが可能となり、また所定の分量が投入されたことを確認して、投入を終了することができきる。即ち、調味料投入量目安リングを満たすまで調味料を投入することで、所定の分量の調味料を添加することができる。投入する調味料の分量は決して正確とは言えないが、大まかな目安の分量を素早く投入することができるメリットが大きい。また杓子やさじ等を介在させることなく、調味料を調理容器に直接投入し、且つ投入量を素早く所定の分量に調整することができる。
特に、調味料差しが、内部の調味料が注出口から注ぎ出すようにした調味料差しである場合とか、更には調味料差しの腹部を押すことで内部の調味料が抽出口から勢いよく飛び出るような調味料差しの場合等、調理容器への直差しに適した調味料差しの場合には、調味料を直接調理容器に投入する方が、さじや杓子で一旦受けてから調理容器に投入するよりも、ずっと簡単、容易に投入することができるし、しかも調味料を調理容器内の調味料投入量目安リング内に直接投入することで、所定の調味料の量を調理容器内で直接計量しながら、非常にスピーディーに必要な目安量を投入できるメリットある。
【０００８】
請求項２に記載の調理容器によれば、上記請求項１に記載の構成による作用効果に加えて、調味料投入量目安リングは、底壁の内面に、円形ラインを表示することで構成している。調味料差しから調味料を調味料投入量目安リングの円形ライン内に投入し、投入された調味料が円形ライン内を満たした時点で、投入を終了する。これにより円形ラインの大きさに対応する量の調味料が計量されて、且つ投入されたことになる。勿論、調味料は必ずしも正確に円形ライン内に投入されなくてもよい。円形ラインの大きさを目安として、投入された調味料の広がりが円形ラインの大きさに達した時点で、投入を終了すればよい。これによっても所定量を目安とした投入を達成することができる。
【０００９】
請求項３に記載の調理用容器によれば、上記請求項１又は２記載の構成による作用効果に加えて、調味料投入量目安リングは、底壁の内面の中央に、１個若しくは直径の異なる複数個の円形ラインを同芯円状に表示することで構成している。調味料投入量目安リングの円形ラインを調理容器の底壁内面中央に表示しているので、判りやすく投入作業も容易に行える。また調理容器がその中央に向かって低くなるような容器の場合においても、調味料を容易に計量しながらその所定量を投入することができる。更に直径の異なる複数の円形ラインを同心円状に表示することで、調味料を投入しながら、且つその投入量の推移を観察でき、よって必要な投入量での投入終了を正確なタイミングで行うことができる。
【００１０】
請求項４に記載の調理用容器によれば、上記請求項１〜３の何れかに記載の構成による作用効果に加えて、調味料投入量目安リングは、小さじ１杯分の液状調味料の量が拡がる面積を目安とした小径円形ラインと、大さじ１杯分の液状調味料の量が拡がる面積を目安とした大径円形ラインとの、何れか一方若しくは両方で構成している。よって小さじ１杯分の調味料を投入する場合は、小径円形ライン内を満たすように調味料を調味料差しから投入すればよく、また大さじ１杯分の調味料を投入する場合は、大径円形ライン内を満たすように調味料を調味料差しから投入すればよいので、小さじ、大さじを単位とした調味料の投入量を直接調理容器内で計量しながら、素早くスピーディーに投入することができる。
【００１１】
請求項５に記載の調理容器によれば、請求項４に記載の構成による作用効果に加えて、液状調味料が油の場合は、粘り気があり、調味料差しからの調味料をさじに一旦とってから、更に調理容器に投入する場合には、手間と時間をとり、素早いスムーズな投入ができない。しかし調味料である油を調味料差しから直接的に調理容器に投入する場合は、時間と手間を取らずに、スピーディーに調理を進めて行くことができる。
【００１２】
請求項６に記載の調理容器によれば、請求項１〜５の何れかに記載の構成による作用効果に加えて、調味料投入量目安リングは、底壁の内面に、円形ラインを焼き付けて表示することで構成している。焼き付けにより調味料投入量目安リングを表示することで、長期に亘って、調味料投入量目安リングが消えることなく表示し続けることが可能となる。
【００１３】
請求項７に記載の調理容器によれば、請求項１〜６の何れかに記載の構成による作用効果に加えて、調理容器はフライパン、鍋を含むことで、これらフライパン、鍋の底壁の内面に調味料投入量目安リングを構成したものを用いて、容易に調味料の投入量を調整しながら、スピーディーで良好な調理を行うことが可能となる。
【図面の簡単な説明】
【００１４】
【図１】本考案に係る第１実施形態の調理容器を示す図で、（Ａ）は平面図、（Ｂ）は一部断面側面図である。
【図２】本考案に係る第２実施形態の調理容器を示す平面図である。
【図３】本考案に係る第３実施形態の調理容器を示す平面図である。
【図４】調味料差しを用いて調味料を調理容器に投入している例を示す斜視図である。
【考案を実施するための形態】
【００１５】
以下の図面を参照して、本考案の実施形態に係る調理容器を説明し、本考案の理解に供する。しかし、以下の説明は本考案の実用新案登録請求の範囲に記載の考案を限定するものではない。
【００１６】
先ず図１と図４を参照して、本考案の第１実施形態に係る調理容器を説明する。
調理容器１は、容器本体１０と把持部２０とを有する。容器本体１０は底壁１１と側壁１２とを備えている。本実施形態では、容器本体１０は比較的浅く構成され、把持部２０は片手用として、全体としてフライパン形状に構成されている。
勿論、容器本体１０はフライパンよりも深い容器からなる片手鍋とすることもできる。また小さい把持部２０を一対設けて、両手鍋としてもよい。その他、容器本体１０は蓋付きのものとすることもできる。
【００１７】
前記容器本体１０は、基本的には金属製として構成される。そして底壁１１の内面１１ａの中央には、調味料投入量目安リング３０を表示して構成している。本実施形態では、調味料投入量目安リング３０は、大小２種類の円形ラインを同心円状にして表示して構成している。即ち、小径円形ライン３０ａと大径円形ライン３０ｂとを容器本体１０の中央に同心円で表している。
小径円形ライン３０ａは小さじ１杯分の調味料の投入量を目安としたラインとし、大径円形ライン３０ｂは大さじ１杯分の調味料の投入量を目安としたラインとしている。
調味料投入量目安リング３０は、あくまで目安である。さじの種類や調味料の種類によっても投入量や拡がり方が同じではないので、正確な投入量を計れるわけではない。しかし目安となるものとして、十分にその役割を果たすことができる。
【００１８】
図４に、調味料差しＣにより、調味料Ｓを調理容器１の容器本体１０に注ぐ状況を示す。そしてこの場合、調味料Ｓが、例えば醤油、ソース、酢、油等の液体調味料の場合、それら液体調味料が容器本体１０の中央の調味料投入量目安シング３０内に投入されると、その液体調味料が適当に円形に広がる。その拡がりが、小径円形ライン３０ａのところに達すると、小さじ１杯分が投入された目安となる。また大径円形ライン３０ｂのところまで達したことで、大さじ１杯分の調味料が投入されたことになる。よって液体調味料の拡がり円が小径円形ライン３０ａと同径になったところで投入を終了することで、小さじ１杯の投入を行うことができる。同様に、大径円形ライン３０ｂの大きさまで調味料が拡がり円に達することで、大さじ１杯の調味料の投入量を得ることができる。
調理容器１がフライパン等、油を使用する場合が多い調理容器の場合には、前記調味料投入量目安リング３０の大きさは、油の投入量とそのときの油の拡がり度合を考慮して、定めることになる。即ち、通常の調味油の小さじ１杯分の拡がり円に対応して小径円形ライン３０ａの径を定め、同様に大さじ１杯分の拡がり円に対応して大径円形ライン３０ｂの径を定めことになる。
勿論、前記小径円形ライン３０ａや大径円形ライン３０ｂは、必ずしも小さじ１杯や大さじ１杯に対応するラインである必要はない。他の適当な投入量に対する目安を示すラインとして表示することができる。同様に調味料投入量目安リング３０は、大小２種類のラインにとどまる必要はない。
【００１９】
金属製の容器本体１０の内面、即ち底壁１１や側壁１２の内面については、種々の表面処理を施した状態とすることができる。例えばダイヤモンド等の硬質表面処理を施したものを含み、被調理物の焼付き防止処理やその他、調理に適した表面処理を施した内面とすることができる。
また前記調味料投入量目安リング３０の容器本体１０の底壁１１の内面１１ａへの表示は、例えば円形ラインを焼き付けにより表示するようにすることができる。調味料投入量目安リング３０を焼き付けにより底壁１１の内面１１ａに構成することで、該調味料投入量目安リング３０の剥がれを長期に亘って防止することが可能となる。勿論、前記調味料投入量目安リング３０のラインの表示は、焼き付け以外の、剥がれ難い他の公知の手段を用いて行うことができる。
【００２０】
図２を参照して、本考案の第２実施形態を説明する。この第２実施形態では、調味料投入量目安リング４０の配置が、上記第１実施形態の調味料目安リング３０の配置と異なる。他の構成は第１実施形態と同じ構成としている。第１実施形態と同じ部材には同じ番号を付し、説明を省略する。
第２実施形態では、調味料投入量目安リング４０を、調理容器１の容器本体１０の底壁１１の内面１１ａではあるが、中央から外れた位置に、等間隔で３箇所に表示する形で構成している。小径円形ライン４０ａと大径円形ライン４０ｂとを同心円状に構成している点は第１実施形態の場合と同じである。
このように調味料投入量目安リング４０を分散して配置することで、調理容器１に被調理物が既に投入されているような場合であっても、被調理物にあまり被覆されていない位置にある調味料投入量目安リング４０を選んで、調味料を投入することで、簡単且つ容易に適切量の調味料を秤量しながら投入することができる。
また複数の調味料投入量目安リング４０を配置することで、例えば油、酢、醤油等の複数種類の調味料を、それぞれ互いに混ざることなく投入して、且つ秤量して、それぞれの適切量を容易、簡単に得ることができる。
【００２１】
図３を参照して、本考案の第３実施形態を説明する。この第３実施形態は、調味料投入量目安リング５０の構成が、上記第１実施形態の調味料投入量目安リング３０や上記第２実施形態の調味料投入量目安リング４０の構成と少し異なる。他の構成は第１、第２実施形態と同じ構成としている。第１、第２実施形態と同じ部材には同じ番号を付し、説明を省略する。
第３実施形態では、調味料投入量目安リング５０を、調理容器１の容器本体１０の底壁１１の内面１１ａではあるが、中央から外れた位置に、等間隔で３箇所に表示する形で構成している。そして、その内の２箇所を小径円形ライン５０ａによる調味料投入量目安リング５０とし、残る１箇所を大径円形ライン５０ｂによる調味料投入量目安リング５０としている。
このように小径円形ライン５０ａによる調味料投入量目安リング５０と大径円形ライン５０ｂによる調味料投入量目安リング５０とを分けて別々に表示することで、小さじ１杯分の調味料については小径円形ライン５０ａの方に投入すれば、容易に且つ簡単に間違えることなく所定の分量を投入することができ、また大さじ１杯分の調味料については、大径円形ライン５０ｂに投入することで、間違えなく所定量の目安を投入することができる。
【産業上の利用可能性】
【００２２】
本考案の調理容器は、所定量の調味料を素早く、且つ簡単に投入できるフライパンやその他の片手、両手の調理鍋等を提供するものとして、産業上の利用可能性が大きい。
【符号の説明】
【００２３】
１          調理容器
１０        容器本体
１１        底壁
１２        側壁
２０        把持部
３０        調味料投入量目安リング
３０ａ      小径円形リング
３０ｂ      大形円形リング
４０        調味料投入量目安リング
４０ａ      小径円形リング
４０ｂ      大形円形リング
５０        調味料投入量目安リング
５０ａ      小径円形リング
５０ｂ      大形円形リング
Ｃ          調味料差し
Ｓ          調味料
【図１】
0003206885.tif 000003
【図２】
0003206885.tif 000004
【図３】
0003206885.tif 000005
【図４】
0003206885.tif 000006